(57)【特許請求の範囲】
【請求項１】
電器本体内に、電磁ソレノイド機構の励磁により、その揺動支点を中心に揺動する可動鉄片を設け、該可動鉄片の揺動により可動端子及び固定端子を有する電気接点開閉機構の開閉動作を行い、前記電器本体内に、前記可動鉄片を前記電磁ソレノイド機構の消磁時の揺動位置に保持させる復帰手段を設けた電磁継電器であって、
前記可動鉄片は保持手段を介して接触部材を保持しており、この接触部材は、互いに短絡部で短絡する二つの接触片を有しており、前記一方の接触片に前記可動端子の一方の常開可動接点を担持させ、当該一方の常開可動接点と前記固定端子の一方の常開固定接点とで一方のａ接点を構成し、前記他方の接触片に前記可動端子の他方の常開可動接点を担持させ、当該他方の常開可動接点と前記固定端子の他方の常開固定接点とで他方のａ接点を構成し、前記短絡部に、前記一方及び他方のａ接点の接触同時性の調整のための信号取出し部を突出形成して、該信号取出し部の一つと、電源と、一方のランプと、前記一方のａ接点側の前記固定端子とを直列接続すると共に、前記信号取出し部と、前記電源と、他方のランプと、前記他方のａ接点側の前記固定端子とを直列接続して検出回路を構成するようにしたことを特徴とする電磁継電器。
【請求項２】
前記可動鉄片に前記保持手段であるカードを取り付けて、当該カードに前記接触部材を保持させて、前記信号取出し部を前記カードの周壁部より外方に突出させるようにしたことを特徴とする請求項１に記載の電磁継電器。
【請求項３】
前記可動鉄片は、前記電磁ソレノイド機構の鉄心に対向配置される鉄心対向片部と可動端子揺動片部とを屈曲部で略Ｌ字状を呈するように互いに一体に形成し、且つ前記鉄心対向片部の前記屈曲部寄りに可動鉄片側係合部を設けて構成してあり、前記電器本体内に、前記電磁ソレノイド機構を保持する電磁ソレノイド取付部材を設け、この電磁ソレノイド取付部材に取付部材側係合部を設け、この取付部材側係合部に前記可動鉄片側係合部を揺動可能に係合させて前記可動鉄片の前記揺動支点を構成し、前記信号取出し部を、前記揺動支点側に近づけるようにしたことを特徴とする請求項１又は請求項２に記載の電磁継電器。
【請求項４】
前記信号取出部に、信号取出し用配線を接続する接続孔を設けたことを特徴とする請求項１乃至請求項３の何れかに記載の電磁継電器。
【発明の詳細な説明】
【技術分野】
【０００１】
本発明は、電磁ソレノイド機構の励磁或いは消磁により可動鉄片を駆動し、可動端子及び固定端子を有する電気接点開閉機構の開閉動作を行うように構成した電磁継電器に係わり、特に、二つのａ接点の接触同時性が確認できる機構を有する電磁継電器に関するものである。
【背景技術】
【０００２】
直流負荷を主として開閉を行なう電磁継電器においては、開閉時の接点電圧を低下させることを目的として接点を直列に配置した構造が採用されている。例えば、図２８に示すように、従来の電磁継電器の電気開閉接点機構としては、ケース１００内には、二つのａ接点と二つのｂ接点とが設けてあり、ａ接点は常開固定接点１０１Ａを有する常開固定端子１０１と、一対の常開可動接点１０２Ａを有する可動切片１０２とで構成してあり、ｂ接点は常閉固定接点１０３Ａを有する常閉固定端子１０３と、一対の常閉可動接点１０４Ａを有する可動切片１０４とで構成してある。そして、可動切片１０２，１０４はばね１０５により作動部材１０６に連結してあって、作動部材１０５の移動によりａ接点とｂ接点の開閉が行なわれるようにしてある。
【０００３】
また、直流高電圧負荷の接点開閉を行なう電磁継電器としては、電器本体に、電磁ソレノイド機構の励磁により、その揺動支点を中心に揺動する可動鉄片を設け、可動鉄片はカードを保持しており、このカードは三つの操作突起部を有していて、それぞれの操作突起部が、その対応する可動接触片に接触しており、そして電磁ソレノイド機構の電磁ブロックに電気が投入されていない消磁においては、可動鉄片は板ばねの付勢力によって揺動しており、カードを介して可動接触片の可動接点を常閉固定接触片の固定接点側に接続させている。そして、電磁ソレノイド機構の消磁状態から、電磁ブロックに電気を投入して励磁させると、鉄心が吸引して、可動鉄片をケースの内側方向に揺動させて、カードの操作突起部が可動接触片上を摺動し、この結果、可動接触片が揺動して、可動接点を固定接点側から常閉固定接触片側の固定接点に接続させるものがある。（特許文献１参照）。
【特許文献１】特開２００７−２５０２３８号公報
【発明の開示】
【発明が解決しようとする課題】
【０００４】
上記した図２８に示す従来の電磁継電器によれば、その電気接点開閉機構において、一方及び他方のａ接点の開閉タイミングが異なる場合、その開閉タイミングの違いによりａ接点の開閉が片側に偏り、その結果、ａ接点のアークによる消耗が一方及び他方のａ接点の片側のみに加速され、その製品に期待される電気的開閉寿命を満足できないという課題があった。
【０００５】
また、このような一方及び他方のａ接点の開閉タイミングを確認することは、外部に露出した接続端子である常開固定端子１０１Ａを用いて行うことは不可能である。このため、製造工程で確認をするところであるが、上記した従来の電磁継電器の電気接点開閉機構における直列接続している接点構成では、ケース１００の内側から確認しなければならないのであるが、これでは、製造工程で行うことが困難であるという課題があった。
【０００６】
そこで、本発明はかかる従来の課題を改善するために案出されたもので、製造工程において二つのａ接点の接触同時性の確認を行うことが容易にできる電磁継電器を提供することを目的としている。
【課題を解決するための手段】
【０００７】
上記目的を達成するために、本発明に係る電磁継電器は、電器本体内に、電磁ソレノイド機構の励磁により、その揺動支点を中心に揺動する可動鉄片を設け、該可動鉄片の揺動により可動端子及び固定端子を有する電気接点開閉機構の開閉動作を行い、電器本体内に、可動鉄片を電磁ソレノイド機構の消磁時の揺動位置に保持させる復帰手段を設けた電磁継電器であって、可動鉄片は保持手段を介して接触部材を保持しており、この接触部材が、互いに短絡部で短絡する二つの接触片を有しており、一方の接触片に可動端子の一方の常開可動接点を担持させ、当該一方の常開可動接点と固定端子の一方の常開固定接点とで一方のａ接点を構成し、他方の接触片に可動端子の他方の常開可動接点を担持させ、当該他方の常開可動接点と固定端子の他方の常開固定接点とで他方のａ接点を構成し、短絡部に、一方及び他方のａ接点の接触同時性の調整のための信号取出し部を突出形成して、該信号取出し部の一つと、電源と、一方のランプと、一方のａ接点側の固定端子とを直列接続すると共に、信号取出し部と、電源と、他方のランプと、他方のａ接点側の固定端子とを直列接続して検出回路を構成するようにしたことを特徴とする。
【０００８】
かかる構成により、例えば、信号取出し部の一つと、電源と、一方のランプと、一方のａ接点側の固定端子とを直列接続すると共に、信号取出し部の一つと、電源と、他方のランプと、他方のａ接点側の固定端子とを直列接続して検出回路を構成することができ、電磁ブロックを励磁し、可動鉄片を揺動させて一方及び他方のａ接点をオン作動させて一方及び他方のランプの点灯で、一方のａ接点における接点接触時点を検出すると共に、他方のａ接点における接点接触時点を検出し、一方のａ接点の接触時点と他方のａ接点の接触時点のタイミングを検出し、このタイミングのズレが所定時間の範囲内になるように、電気接点開閉機構を調整し、一方及び他方の二つのａ接点の接触同時性の調整を行なうことができる。
【０００９】
このように、一方及び他方の二つのａ接点の接触同時性を製造工程内で確認することが容易にできるようになり、また、直接動作機構に触れることのない信号取出し部を配置することで接点部の部品変形等の副作動を偶発させることなく、二つのａ接点の接触同時性の調整対応を機械化することが可能となり、商品に期待される電気的開閉寿命のバラツキを低減することができる。
【００１０】
また、かかる構成により、電磁ブロックを励磁し、可動鉄片及びカードを揺動させて一方及び他方のａ接点をオン作動させて一方及び他方のランプの点灯で、一方のａ接点における接点接触時点を検出すると共に、他方のａ接点における接点接触時点を検出し、一方のａ接点の接触時点と他方のａ接点の接触時点のタイミングを検出してこのタイミングのズレが所定時間の範囲内になるように、電気接点開閉機構を調整し、一方及び他方の二つのａ接点の接触同時性の調整を行なうことができる。
【００１１】
また、上記した本発明に係る電磁継電器において、本発明に係る電磁継電器は、可動鉄片に保持手段であるカードを取り付けて、当該カードに接触部材を保持させて、信号取出し部をカードの周壁部より外方に突出させるようにしたことを特徴とする。
【００１２】
かかる構成により、例えば、信号取出し部の一つと、電源と、一方のランプと、一方のａ接点側の固定端子とを直列接続すると共に、信号取出し部の一つと、電源と、他方のランプと、他方のａ接点側の固定端子とを直列接続して検出回路を構成することができ、電磁ブロックを励磁し、可動鉄片及びカードを揺動させて一方及び他方のａ接点をオン作動させて一方及び他方のランプの点灯で、一方のａ接点における接点接触時点を検出すると共に、他方のａ接点における接点接触時点を検出し、一方のａ接点の接触時点と他方のａ接点の接触時点のタイミングを検出し、このタイミングのズレが所定時間の範囲内になるように、電気接点開閉機構を調整し、一方及び他方の二つのａ接点の接触同時性の調整を行なうことができる。
【００１３】
このように、一方及び他方の二つのａ接点の接触同時性を製造工程内で確認することが容易にできるようになり、また、直接動作機構に触れることのない信号取出し部を配置することで接点部の部品変形等の副作動を偶発させることなく、二つのａ接点の接触同時性の調整対応を機械化することが可能となり、商品に期待される電気的開閉寿命のバラツキを低減することができる。
【００１４】
また、上記した本発明に係る電磁継電器において、本発明に係る電磁継電器は、可動鉄片は、電磁ソレノイド機構の鉄心に対向配置される鉄心対向片部と可動端子揺動片部とを屈曲部で略Ｌ字状を呈するように互いに一体に形成し、且つ鉄心対向片部の屈曲部寄りに可動鉄片側係合部を設けて構成してあり、電器本体内に、電磁ソレノイド機構を保持する電磁ソレノイド取付部材を設け、この電磁ソレノイド取付部材に取付部材側係合部を設け、この取付部材側係合部に可動鉄片側係合部を揺動可能に係合させて可動鉄片の揺動支点を構成し、信号取出し部を、揺動支点側に近づけるようにしたことを特徴とする。
【００１５】
かかる構成により、信号取出し部を揺動支点側に近づけて、この信号取出し部に、可動鉄片の復帰手段として、例えば、ばね板を使用した場合に、このばね板のばね力の影響を受けることがなく、正確なデータを取り出すことができる。
【００１６】
また、上記した本発明に係る電磁継電器において、本発明に係る電磁継電器は、信号取出し用配線部に、信号取出し用配線を接続する接続孔を設けたことを特徴とする。
【００１７】
かかる構成により、例えば、信号取出し部と、電源と、ランプと、一方（又は他方）のａ接点側の常開固定端子とを直列接続する場合に、配線を接続孔に通すことで、配線作業を簡単に行なうことができる。
【発明の効果】
【００１８】
本発明に係る電磁継電器によれば、一方及び他方の二つのａ接点の接触同時性を製造工程内で確認することが容易にできるようになり、また、直接動作機構に触れることのない信号取出し部を配置することで接点部の部品変形等の副作動を偶発させることなく、二つのａ接点の接触同時性の調整対応を機械化することが可能となり、商品に期待される電気的開閉寿命のバラツキを低減することができる。
【発明を実施するための最良の形態】
【００１９】
本発明の実施の形態を、図１乃至図２７を参照して詳述する。
【００２０】
図１は本発明の電磁継電器（二極接点タイプ）の外観を描画した斜視図、図２は同電磁継電器の分解状態の斜視図、図３は同電磁継電器のケースを透過して描画した正面図、図４は同電磁継電器のケースを透過して描画した背面図、図５は図３に示す電磁継電器の電磁ソレノイド機構の消磁状態におけるＸ−Ｘ断面図、図６は図３に示す電磁継電器の電磁ソレノイド機構の励磁状態におけるＹ−Ｙ断面図である。
【００２１】
電磁継電器は、大略、ベース１に、電磁ソレノイド機構４０、電気接点開閉機構５０を設けて、ケース３５ｃを被せた構成になっている。そして、ベース１とケース３５ｃとで電器本体を構成している。
【００２２】
図２、図７及び図８に示すように、ベース１は平面四角形状であり，このベース１の、一方の互いに対向する辺縁部には絶縁壁１ａ，１ｂが立設してある。また、ベース１の、他方の互いに対向する辺縁部には、絶縁壁１ａ，１ｂに連なる外側壁１ｃ，１ｄが立設してあり、また、ベース１の底部の外側壁１ｃ，１ｄ間には、絶縁壁１ａ，１ｂに連なる内側壁１ｅ，１ｆが立設してあって、ベース１内には、外側壁１ｃ，１ｄ及び内側壁１ｅ，１ｆにより３つの固定接点設置室２ａ，２ｂ，２ｃが並べて形成してある。
【００２３】
そして、図７及び図８に示すように、固定接点設置室２ａ，２ｂ，２ｃには、磁石収容部２ａ−１，２ｂ−１，２ｃ−１が設けてある。そして、磁石収容部２ｂ−１は、その内部に永久磁石８を収容した状態で、この永久磁石８を抑えて固定する固定用ばね片部２ｂ−２を備えている。
【００２４】
そして、一方の絶縁壁１ａの、図２において下部には磁石挿入孔部４ｂが設けてあり、磁石挿入孔部４ｂは磁石収容部２ｂ−１に開口している。また、図８に示すように、固定接点設置室２ａ（２ｂ，２ｃ）の底部には、端子圧入孔である固定端子圧入孔５ａ（５ｂ，５ｃ）が設けてある。
【００２５】
図３に示すように、固定接点設置室２ａには固定端子である常開固定端子６−１が配置してあり、固定接点設置室２ｃには固定端子である常開固定端子６−２が配置してある。そして、図２及び図９に示すように、常開固定端子６−１，６−２は、その先側のＬ字状に折曲した接点固定部６ａと、端子リード部６ｂと、この端子リード部６ｂの基部の両側に形成された圧入部６ｃを有しており、常開固定端子６−１は、その接点固定部６ａには固定接点である常開固定接点７Ａが固定してあり、常開固定端子６−２には、その接点固定部６ａに固定接点である常開固定接点７Ｂが固定してある。
【００２６】
そして、図５に示すように、常開固定端子６−１（６−２）の圧入部６ｃを固定端子圧入孔５ａ，５ｂに圧入するに際して、外から磁石収容部２ａ−１，２ｃ−１内に四角形の板状の永久磁石８を挿入し、圧入部６ｃを固定端子圧入孔５ａ，５ｃに圧入して、圧入部６ｃを割りカシメすることで常開固定端子６−１（６−２）の固定を完全にし、図５に示すように、常開固定端子６−１（６−２）の接点固定部６ａと磁石収容部２ａ−１（２ｃ−１）の底面とで永久磁石８を挟持固定するようにしてある。このようにして、常開固定端子６−１は固定接点設置室２ａ（２ｃ）に配置してあり、常開固定端子６−２は固定接点設置室２ｃに配置してある。
【００２７】
また、図６に示すように、固定接点設置室２ｂには固定端子である常閉固定端子６−３が配置してある。そして、図２及び図６に示すように、固定端子である常閉固定端子６−３は、その先側のＬ字状に折曲した接点固定部９ａと、端子リード部９ｂと、この端子リード部９ｂの基部の両側に形成された圧入部９ｃを有しており、接点固定部９ａに常閉固定接点７Ｃが固定してある。
【００２８】
そして、図６に示すように、常閉固定端子６−３は、その圧入部９ｃを固定端子圧入孔５ｂに圧入し、圧入部９ｃを割りカシメすることで常閉固定端子６−３の固定を完全にすることで、固定接点設置室２ｂに配置してある。そして、図６に示すように、外から磁石挿入孔部４ｂを介して磁石収容部２ｂ−１内に四角形の板状の永久磁石８が挿入され、固定用ばね片部２ｂ−２で永久磁石８を押えて固定している。この場合、常閉固定接点７Ｃの直下に永久磁石８が位置している。
【００２９】
また、図８に示すように、固定接点設置室２ｂの底部には端子圧入孔１０が設けてあり、この端子圧入孔１０には常閉可動端子１２が圧入されるものである。すなわち、図１３及び図１４に示すように、常閉可動端子１２は、その端子本体１２Ａに、Ｌ字状に折曲した取付部１２ａと端子リード部１２ｂと圧入部１２ｃを有しており、取付部１２ａには接触片を兼ねる復帰ばね片１３の基端部が取付けてあり、この復帰ばね片１３の先端部には、接点取付部である可動接点取付孔部１３Ａが設けてあり、この可動接点取付孔部１３Ａに常閉可動接点１２Ｃが取付けてある。
【００３０】
そして、図６に示すように、圧入部１２ｃを端子圧入孔１０に圧入することで固定接点設置室２ｂには常閉可動端子１２が配置してある。そして、常閉可動端子１２の常閉可動接点１２Ｃは常時は常閉固定接点７Ｃに投入された状態になっていて、これらでｂ接点を構成している。
【００３１】
また、図８に示すように、固定接点設置室２ａ，２ｃの底部にはコイル端子圧入孔１１ａ，１１ｃが設けてある。そして、コイル端子圧入孔１１ａに図２に示すコイル端子１５Ａの圧入部１５ｃを圧入することでコイル端子１５Ａが固定接点設置室２ａに配置してあり、また、コイル端子圧入孔１１ｃにコイル端子１５Ｂの圧入部１５ｃを圧入することでコイル端子１５Ｂが固定接点設置室２ｃに配置してある。
【００３２】
また、図５及び図６に示すように、ベース１の上部には略逆Ｌ字形の電磁ソレノイド取付部材１６が配置固定してある。この電磁ソレノイド取付部材１６は、それぞれ略矩形状を呈する水平片部１６ａと垂直片部１６ｂとを一体形成してなる。そして、図２に示すように、水平片部１６ａの先部両側には取付部材側係合部である係合突起１６ａ−１が設けてある。
【００３３】
電磁ソレノイド取付部材１６の水平片部１６ａには、コイル１７ａを主体として構成して電磁力を発生する電磁ブロック１７が装着してあり、電磁ブロック１７には、この電磁ブロック１７の励磁及び消磁により可動鉄片２０を揺動できる鉄心１９が設けてある。この鉄心１９の一端側は、電磁ソレノイド取付部材１６の垂直片部１６ｂに形成した抜き孔１６ｂ−１に摺動可能に挿入してある。そして、コイル１７ａの一方の端末はコイル端子１５Ａに接続してあり、コイル１７ａの他方の端末はコイル端子１５Ｂに接続してある。
【００３４】
図２に示すように、可動鉄片２０は、略Ｌ字状に一体形成された略垂直状の鉄心対向片部２０ａと、この鉄心対向片部２０ａに屈曲部で連なる略水平状の可動端子揺動片部２０ｂを有しており、この可動端子揺動片部２０ｂにはカード取付部２０ｃが設けてある。そして、図２に示すように、鉄心対向片部２０ａの下端両隅角部には可動鉄片側係合部である一対の係合段差部２０ａ−１が形成してある。
【００３５】
そして、図５に示すように、可動鉄片２０は、その係合段差部２０ａ−１を電磁ソレノイド取付部材１６の係合突起１６ａ−１に係合することにより電磁ソレノイド取付部材１６の水平片部１６ａに対して揺動可能に設けてあり、可動鉄片２０は鉄心対向片部２０ａが鉄心１９に対向している。そして、係合段差部２０ａ−１と係合突起１６ａ−１とで揺動支点Ｐが構成している。
【００３６】
そして、可動鉄片２０は、一端が電磁ソレノイド取付部材１６に取付けられた可動鉄片枢支用板ばね２１の自由端２１ａ側で付勢されて、図５において左方に揺動するように付勢されている。
【００３７】
図２において、２７は保持手段であるカードであり、このカード２７は、図１０に示すように、そのカード本体２７Ａ部分で、互いに短絡した接触片２８，２９を有する接点担持用の接触部材４５をインサート成形により保持している。すなわち、図１１に示すように、接触部材４５は、接触片２８，２９の基部を短絡部３０により互いに連ねて構成してあり、接触片２８，２９の先部には常開可動接点２８Ａ，２９Ａが固着してある。また、短絡部３０には、接触片２８，２９の基端側に寄せて、二つのａ接点の接触同時性の調整のための信号取出し部３１がそれぞれに突出形成してある。これらの信号取出し部３１には配線用の接続孔３１ａが設けてある。そして、接触片２８，２９はそれぞれの基部及び短絡部３０の部分でカード本体２７Ａに保持されている。
【００３８】
また、図１２に示すように、信号取出し部３１はカード本体２７Ａの背部から外方に突出している。この場合、図５に示すように、信号取出し部３１はカード２７の揺動支点である可動鉄片２０の揺動支点Ｐの直下にあって、この揺動支点Ｐに近づけてある。
【００３９】
また、図１０に示すように、カード本体２２Ａには、接触片２８，２９の突出方向に突出する可動鉄片接合部３２が突設してあり、この可動鉄片接合部３２には図１０において下方に突出する操作突起部３３が設けてあり、この可動鉄片接合部３２と操作突起部３３とでカードリフト動作部Ｒを構成している。
【００４０】
そして、図６に示すように、カード２７は、その可動鉄片接合部３２を可動鉄片２０のカード取付部２０ｃに装着して可動鉄片２０に取付けてある。そして、カード２７の操作突起部３３の先部は、ｂ接点の復帰ばね片１３に接触させて、この復帰ばね片１３の押込みに用いると共に、操作突起部３３の接触点を復帰力の作用点にしてある。したがって、復帰ばね片１３の復帰ばね機能によりカードリフト動作部Ｒを介してカード２７は持ち上げられるために、図６に示すように、常開可動接点２８Ａ，２９Ａは常開固定端子６−１，６−２の常開固定接点７Ａ，７Ｂに対向していて、一方及び他方の二つのａ接点を構成している。
【００４１】
そして、図１に示すように、ケース３５ｃは、ベース１に配置された電磁ソレノイド機構４０および電気接点開閉機構５０等を覆った後、係合部３６をベース１に設けた一対の係合突起部１ａ−１に係合することによって、ベース１に組み付けてある。この場合、信号取出し部３１は、ケース３５ｃの内部に収容されることになって、防塵が行なわれ、漏電の危険性が回避されることになる。
【００４２】
図１５及び図１６に示すように、電磁ソレノイド機構４０の電磁ブロック１７に電気が投入されていない消磁においては、可動鉄片枢支用板ばね２１の付勢力及び復帰ばね片１３の復帰ばね機能によって、可動鉄片２０はカードリフト動作部Ｒを介してケース３５ｃの外側方向（図１６では左方向）に付勢されて揺動している。したがって、カード２７に保持された接触片２８，２９は持ち上がっていて、ａ接点では、常開可動接点２８Ａ，２９Ａは常開固定端子６−１，６−２の常開固定接点７Ａ，７Ｂから離れている。
【００４３】
また、復帰ばね片１３の復帰ばね機能によって、常閉可動端子６−３の常閉可動接点１２Ｃは押し上げられていて、常閉可動端子６−３の常閉固定接点７Ｃに接触してｂ接点は閉じている。
【００４４】
図１７及び図１８に示すように、この電磁ソレノイド機構４０の消磁状態から、電磁ブロック１７に電気を投入して励磁させると、鉄心１９が可動鉄片２０を吸引するために、カード２７が揺動支点Ｐを支点にして図１８において時計回り方向に回動する。したがって、カード２７を介して常開可動接点２８Ａ，２９Ａを常開固定端子６−１，６−２の常開固定接点７Ａ，７Ｂに接触させて、一方及び他方のａ接点を投入する。
【００４５】
この投入動作と同時に、カード２７の操作突起部３３が、常閉可動端子１２の復帰ばね片１３を、図６及び図１８において下方向に押し込むために、復帰ばね片１３に設けた常閉可動接点１２Ｃは常閉固定接点７Ｃから開離された状態になっていて、ｂ接点を開離する。
【００４６】
次に、一方及び他方のａ接点の接触同時性の調整について図１９及び図２０を参照して説明する。
【００４７】
図１９に示すように、一方及び他方のａ接点の接触同時性の調整は、ケース３５ｃをベース１に組み付ける前の製造工程で行なわれる。すなわち、ベース１にカバー３５を装着する前に、信号取出し部３１の一つと、電源４１と、一方のランプ４２と、一方のａ接点側の常開固定端子６−１とを直列接続すると共に、信号取出し部３１と、電源４１と、他方のランプ４３と、他方のａ接点側の常開固定端子６−２とを直列接続して検出回路４４を構成する。
【００４８】
そして、図２０に示すように、電磁ブロック１７を励磁し、可動鉄片２０及びカード２７  を揺動させて一方及び他方のａ接点をオン作動させて一方及び他方のランプ４２，４３の点灯で、一方のａ接点における接点接触時点を検出すると共に、他方のａ接点における接点接触時点を検出し、一方のａ接点の接触時点と他方のａ接点の接触時点のタイミングを検出して、このタイミングのズレが所定時間Ｘの範囲内になるように、電気接点開閉機構５０を調整し、一方及び他方の二つのａ接点の接触同時性の調整を行なう。
【００４９】
すなわち、一方及び他方のａ接点の接触同時性の調整とは時間Ｘを零に近づけることであり、アークの発生が、一方のａ接点（常開可動接点２８Ａと常開固定接点７Ａ）、他方のａ接点（常開可動接点２８Ｂと常開固定接点７Ｂ）と交互に発生するようになり、常開可動接点２８Ａ，２８Ｂと常開固定接点７Ａ，７Ｂの消耗を抑えた負荷開閉が可能になる。
【００５０】
なお、信号取出し部３１は二つあるが、これは、作業者が左利き、右利きの何れかの場合、作業しやすいように両者に対応させたものであって、信号取出し部３１は単一でもよい。
【００５１】
上記した電磁継電器は、ａ接点とｂ接点を有する二極接点構成（１ａ１ｂシリーズ）であり、この二極接点構成を配線図で示すと図２１のようになる。
【００５２】
次に、電磁継電器において、ａ接点のみを有する一極接点構成（１ａシリーズ）の場合を、図１３、図２２乃至図２７を参照して説明する。
【００５３】
一極接点構成（１ａシリーズ）の電磁継電器では、その接点構成において、図２３に示すように、上記した二極接点構成（１ａ１ｂシリーズ）の電磁継電器における常閉固定端子６−３と、常閉固定接点７Ｃが無い状態であって、復帰ばね片１３は復帰ばねとしての機能のみを担うことになる。また、他の構成は上記した二極接点構成（１ａ１ｂシリーズ）の電磁継電器と同じであるので、同じ符号を付して説明を省略する。そして、この一極接点構成（１ａシリーズ）の電磁継電器においても、上記した一方及び他方のａ接点の接触同時性の調整が適用される。
【００５４】
図２４及び図２５に示すように、電磁ソレノイド機構４０の電磁ブロック１７に電気が投入されていない消磁においては、可動鉄片２０は、可動鉄片枢支用板ばね２１の付勢力及び復帰ばね片１３の復帰ばね機能によって、ケース３５ｃの外側方向（図２５では左方向）に付勢されて揺動している。したがって、カード２７に保持された接触片２８，２９は持ち上がっていて、一方及び他方のａ接点では、常開可動接点２８Ａ，２９Ａは常開固定端子６−１，６−２の固定接点７Ａ，７Ｂから離れている。
【００５５】
この電磁ソレノイド機構４０の消磁状態から、電磁ブロック１７に電気を投入して励磁させると、鉄心１９が可動鉄片２０を吸引するために、図２６及び図２７に示すように、カード２７が揺動支点Ｐを支点にして図２７において時計回り方向に回動する。したがって、カード２７を介して常開可動接点２８Ａ，２９Ａを常開固定端子６−１，６−２の常開固定接点７Ａ，７Ｂに接触させて、一方及び他方のａ接点を投入する。
【００５６】
上記した本発明の実施例によれば、ベース１にカバー３５を装着する前に、信号取出し部３１の一つと、電源４１と、一方のランプ４２と、一方のａ接点側の常開固定端子６−１とを直列接続すると共に、信号取出し部３１と、電源４１と、他方のランプ４３と、他方のａ接点側の常開固定端子６−２とを直列接続して検出回路４４を構成し、電磁ブロック１７を励磁し、可動鉄片２０及びカード２７  を揺動させて一方及び他方のａ接点をオン作動させて一方及び他方のランプ４２，４３の点灯で、一方のａ接点における接点接触時点を検出すると共に、他方のａ接点における接点接触時点を検出し、一方のａ接点の接触時点と他方のａ接点の接触時点のタイミングを検出して、このタイミングのズレが所定時間Ｘの範囲内になるように、電気接点開閉機構５０を調整し、一方及び他方の二つのａ接点の接触同時性の調整を行なうことができる。
【００５７】
このように、一方及び他方の二つのａ接点の接触同時性を製造工程内で確認することが容易にできるようになり、また、直接動作機構に触れることのない信号取出し部を配置することで接点部の部品変形等の副作動を偶発させることなく、一方及び他方のａ接点の接触同時性の調整対応を機械化することが可能となり、商品に期待される電気的開閉寿命のバラツキを低減することができる。
【産業上の利用可能性】
【００５８】
本発明は、一方及び他方の二つのａ接点の接触同時性を製造工程内で確認することが容易にできるようになり、また、直接動作機構に触れることのない信号取出し部を配置することで接点部の部品変形等の副作動を偶発させることなく、一方及び他方のａ接点の接触同時性の調整対応を機械化することが可能となり、商品に期待される電気的開閉寿命のバラツキを低減することができるという効果を有しており、電磁ソレノイド機構の励磁或いは消磁により可動鉄片を駆動し、可動端子及び固定端子を有する電気接点開閉機構の開閉動作を行うように構成した等に好適であるといえる。
【図面の簡単な説明】
【００５９】
【図１】本発明の電磁継電器（二極接点タイプ）の外観を描画した斜視図である。
【図２】同電磁継電器の分解状態の斜視図である。
【図３】同電磁継電器のケースを透過して描画した正面図である。
【図４】同電磁継電器のケースを透過して描画した背面図である。
【図５】図３に示す電磁継電器の電磁ソレノイド機構の消磁状態におけるＸ−Ｘ断面図である。
【図６】図３に示す電磁継電器の電磁ソレノイド機構の励磁状態におけるＹ−Ｙ断面図である。
【図７】ベースの斜視図である。
【図８】ベースの平面図である
【図９】電磁継電器（二極接点タイプ）の電気接点開閉機構の斜視図である。
【図１０】カードが接触片を保持した状態の斜視図である。
【図１１】接触片の斜視図である。
【図１２】カードを、その背面側から視た斜視図である。
【図１３】復帰ばね片を保持した端子の斜視図である。
【図１４】先端部に接点を設けた復帰ばね片を保持した端子の斜視図である。
【図１５】電磁継電器（二極接点タイプ）であって、電磁ソレノイド機構の消磁状態における電気接点開閉機構の正面図である。
【図１６】同電磁ソレノイド機構の消磁状態における電気接点開閉機構の側面図である。
【図１７】同電磁ソレノイド機構の励磁状態における電気接点開閉機構の正面図である。
【図１８】同電磁ソレノイド機構の励磁状態における電気接点開閉機構の側面図である。
【図１９】接点の接触同時性の調整を行なうための検出回路の説明図である。
【図２０】接点の接触同時性の調整の説明図である。
【図２１】電磁継電器（二極接点タイプ）の配線図である。
【図２２】電磁継電器（一極接点タイプ）の配線図である。
【図２３】電磁継電器（一極接点タイプ）の電気接点開閉機構の斜視図である。
【図２４】電磁継電器（一極接点タイプ）であって、電磁ソレノイド機構の消磁状態における電気接点開閉機構の正面図である。
【図２５】同電磁ソレノイド機構の消磁状態における電気接点開閉機構の側面図である。
【図２６】同電磁ソレノイド機構の励磁状態における電気接点開閉機構の正面図である。
【図２７】同電磁ソレノイド機構の励磁状態における電気接点開閉機構の側面図である。
【図２８】従来の電磁継電器における電気接点開閉機構の構成説明図である。
【符号の説明】
【００６０】
６−１    常開固定端子（固定端子）
６−２    常開固定端子（固定端子）
６−３    常閉固定端子（固定端子）
７Ａ      常開固定接点（固定接点）
７Ｂ      常開固定接点（固定接点）
７Ｃ      常閉固定接点（固定接点）
１２      常閉可動端子（可動端子）
１６      電磁ソレノイド取付部材
１６ａ−１  係合突起（取付部材側係合部）
２０      可動鉄片
２０ａ    鉄心対向片部
２０ｂ    可動端子揺動片部
２０ｃ    カード取付部
２０ａ−１  係合段差部（可動鉄片側係合部）
２７      カード（保持手段）
２８，２９  接触片
３０      短絡部
３１      信号取出し部
４５      接触部材
Ｐ        揺動支点
【図１】
0005239421.tif 000002
【図２】
0005239421.tif 000003
【図３】
0005239421.tif 000004
【図４】
0005239421.tif 000005
【図５】
0005239421.tif 000006
【図６】
0005239421.tif 000007
【図７】
0005239421.tif 000008
【図８】
0005239421.tif 000009
【図９】
0005239421.tif 000010
【図１０】
0005239421.tif 000011
【図１１】
0005239421.tif 000012
【図１２】
0005239421.tif 000013
【図１３】
0005239421.tif 000014
【図１４】
0005239421.tif 000015
【図１５】
0005239421.tif 000016
【図１６】
0005239421.tif 000017
【図１７】
0005239421.tif 000018
【図１８】
0005239421.tif 000019
【図１９】
0005239421.tif 000020
【図２０】
0005239421.tif 000021
【図２１】
0005239421.tif 000022
【図２２】
0005239421.tif 000023
【図２３】
0005239421.tif 000024
【図２４】
0005239421.tif 000025
【図２５】
0005239421.tif 000026
【図２６】
0005239421.tif 000027
【図２７】
0005239421.tif 000028
【図２８】
0005239421.tif 000029